(57)【要約】【課題】本発明は折畳み防毒マスクを開示した。【解決手段】本発明は折畳み防毒マスクを開示し、着け装置を含み、前記着け装置は左マスクと右マスクとを含み、前記左マスクと前記右マスクの前端には顔と貼り付く弾性部品が連結され、前記左マスクと右マスクとの下端には濾過装置が連結され、前記左マスクと右マスクの後側には排毒装置が連結され、本発明は構成が簡単で、操作が便利で、着ける物の呼吸に従って空気の吸収をサポートできるだけではなく、それに空気を三回の濾過によって、人が有毒気体を吸い込むのを回避でき、防毒マスクを折り畳むことができ、持ち歩くのに便利を与える。【選択図】図１
2020171639.tif 000002
【特許請求の範囲】
【請求項１】
折畳み防毒マスクであって、着け装置を含み、その特徴は、前記着け装置は左マスクと右マスクとを含み、前記左マスクと前記右マスクの前端には顔と貼り付く弾性部品が連結され、前記左マスクと右マスクとの下端には濾過装置が連結され、前記左マスクと右マスクの後側には排毒装置が連結され、前記濾過装置は前記左マスクと前記右マスクとの下端に其々固定的に連結された左右に対称的なプラスチック管を含み、前記プラスチック管の中には通り道が上下に貫通して設置され、前記通り道の上側には固定ブロックが固定的に設置され、前記固定ブロックの中にはモーターが固定的に設置され、前記通り道の中にはネジボルトが回転できるように設置され、前記ネジボルトの上端が前記モーターに伝動できるように連結され、前記通り道の中にはネジ山ブロックがスライドできるように設置され、前記ネジ山ブロックの下端には連結棒が固定的に連結され、前記連結棒の中にはネジ山穴が上に開口して設置され、前記ネジ山穴が前記ネジ山ブロックを貫通しており、前記ネジボルトの下端が前記ネジ山穴の中に伸びて前記ネジ山穴とがネジ山によって連結され、前記ネジ山ブロックの下側には濾過板がスライドできるように設置され、前記濾過板と前記ネジ山ブロックとの間には六本の冷却器が固定的に連結され、前記通り道の下側には防塵板が固定的に連結され、前記通り道の後側の内壁の中には後に開口した抜き穴が連通して設置され、前記プラスチック管の後端には通気管が固定的に連結され、前記通気管の中には管路が左右に貫通して設置され、両側の前記管路の中には開口が反対した逆止弁が設置されている；マスクをつけた後前記モーターを始動し、吸気する時前記モーターが前記ネジボルトを駆動してして正方向に回転させ、前記ネジ山ブロックと前記濾過板を上へスライド連動させ、それにより空気を前記通り道の中に吸い込んで二回の濾過を行い、それにより気体を前記抜き穴に通り抜かせ、この時気体が左側の前記管路を通り抜け、空気を吐く時右側の前記モーターが右側の前記ネジボルトを駆動して反方向に回転させ、右側の前記ネジ山ブロックと左側の前記濾過板を下へスライド連動させ、それにより気体を右側の前記管路から排出することを特徴とする折畳み防毒マスク。
【請求項２】
前記着け装置は右に開口して前記左マスクの中に設置された連結チャンバを含み、前記連結チャンバの前後内壁の間には連結軸が固定的に連結され、前記右マスクが前記連結チャンバの中に入っており且つ前記連結軸に固定的に連結され、前記右マスクの左端と前記連結チャンバの左側の内壁とが当接し、前記左マスクと前記右マスクの中にはそれぞれ上に開口した収納チャンバが設置され、前記収納チャンバの前後の内壁の間には収納輪が回転できるように連結され、両側の前記収納輪の間には両側の前記収納輪に巻かれたマスクバンドが連結され、前記収納輪と前記収納チャンバの前後の内壁との間には収納撥条が固定的に連結されている；前記マスクバンドを引き出して後頭部に着け、前記収納撥条の弾力の作用によって前記左マスクと前記右マスクを顔に貼り付けることを特徴とする請求項１に記載の折畳み防毒マスク。
【請求項３】
前記排毒装置は前記左マスクの後側に回転できるように設置された濾過筒を含み、前記濾過筒の中には連結穴が前に開口して設置され、前記連結軸が前記連結穴の中に伸びて前記連結穴とネジ山によって連結され、前記濾過筒の中には通気通路が設置され、前記通気管が前記通気通路の中に伸びており、前記通気通路の後側の内壁には防腐板が固定的に設置され、前記通気通路の前側の内壁には通気篩が固定的に設置され、前記防腐板と前記通気篩との間には吸着ブロックが充填され、前記通気通路の前側の内壁の中には前に開口した通気溝が連通して設置され、前記濾過筒の前端には前記通気溝に正対した吸口が固定的に設置され、前記吸口の中には吸口チャンバが貫通して設置されている；前記濾過筒を回してそれを前記連結軸に連結し、左側の前記管路が空気を前記通気通路の中に導入し、前記吸着ブロックによって空気の中の毒物を吸着し、浄化された後の空気が前記通気溝と前記吸口チャンバを経由して呼吸に使われることができ、呼気が前記通気通路の中に入ってまた前記吸着ブロックによって吸着され、二回目の有毒気体を排出するのを防止し、重力の影響によって、前記防腐板は前記吸着ブロックが直接に前記通気通路の後側の内壁との接触するのを回避できることを特徴とする請求項１又は請求項２に記載の折畳み防毒マスク。
【請求項４】
前記濾過筒には回転輪が回転またスライドできるように設置され、前記回転輪には密閉板が前後に対称的に回転できるように設置され、前記密閉板のうち中心に近接している一端と前記回転輪との間には挟みねじりバネが固定的に連結されている；前記回転輪をスライドさせ、前記密閉板を前記左マスクと前記右マスクに当接させ、前記密閉板を顎につけ、前記挟みねじりバネの弾力の作用によって顎をきつく挟み、マスクの密閉性を高めることを特徴とする請求項１又は請求項２又は請求項３に記載の折畳み防毒マスク。
【発明の詳細な説明】
【技術分野】
【０００１】
本発明は逃走救援の分野を取り上げて、具体的には折畳み防毒マスクである。
【背景技術】
【０００２】
防毒マスクは常用の逃走救援工具であり、火災現場及び毒ガスが漏れる場所には防毒マスクをつけなければならず、一般的な防毒マスクは体積が大きく、事故現場に救援される人が多い時、消防士はそれなりの数の防毒マスクを携帯するのが不便であり、そのため空気を三回濾過する折畳み防毒マスクを設計するのが必要があり、本装置は使用者の呼吸に従って空気の吸収をサポートできるだけではなく、空気を三回濾過し、人体が毒ガスを吸い込むのを回避でき、防毒マスクを折り畳むことができ、持ち歩くのに便利を与える。
【先行技術文献】
【特許文献】
【０００３】
【特許文献１】中国特許出願公開第１０８０７９４５７号明細書
【発明の概要】
【発明が解決しようとする課題】
【０００４】
本発明の解決する技術問題は折畳み防毒マスクを提供し、それが上記現有の技術の問題を解決する。
【課題を解決するための手段】
【０００５】
本発明の折畳み防毒マスクは、着け装置を含み、前記着け装置は左マスクと右マスクとを含み、前記左マスクと前記右マスクの前端には顔と貼り付く弾性部品が連結され、前記左マスクと右マスクとの下端には濾過装置が連結され、前記左マスクと右マスクの後側には排毒装置が連結され、前記濾過装置は前記左マスクと前記右マスクとの下端に其々固定的に連結された左右に対称的なプラスチック管を含み、前記プラスチック管の中には通り道が上下に貫通して設置され、前記通り道の上側には固定ブロックが固定的に設置され、前記固定ブロックの中にはモーターが固定的に設置され、前記通り道の中にはネジボルトが回転できるように設置され、前記ネジボルトの上端が前記モーターに伝動できるように連結され、前記通り道の中にはネジ山ブロックがスライドできるように設置され、前記ネジ山ブロックの下端には連結棒が固定的に連結され、前記連結棒の中にはネジ山穴が上に開口して設置され、前記ネジ山穴が前記ネジ山ブロックを貫通しており、前記ネジボルトの下端が前記ネジ山穴の中に伸びて前記ネジ山穴とがネジ山によって連結され、前記ネジ山ブロックの下側には濾過板がスライドできるように設置され、前記濾過板と前記ネジ山ブロックとの間には六本の冷却器が固定的に連結され、前記通り道の下側には防塵板が固定的に連結され、前記通り道の後側の内壁の中には後に開口した抜き穴が連通して設置され、前記プラスチック管の後端には通気管が固定的に連結され、前記通気管の中には管路が左右に貫通して設置され、両側の前記管路の中には開口が反対した逆止弁が設置されている；マスクをつけた後前記モーターを始動し、吸気する時前記モーターが前記ネジボルトを駆動してして正方向に回転させ、前記ネジ山ブロックと前記濾過板を上へスライド連動させ、それにより空気を前記通り道の中に吸い込んで二回の濾過を行い、それにより気体を前記抜き穴に通り抜かせ、この時気体が左側の前記管路を通り抜け、空気を吐く時右側の前記モーターが右側の前記ネジボルトを駆動して反方向に回転させ、右側の前記ネジ山ブロックと左側の前記濾過板を下へスライド連動させ、それにより気体を右側の前記管路から排出する。
【０００６】
更なる技術方案、前記着け装置は右に開口して前記左マスクの中に設置された連結チャンバを含み、前記連結チャンバの前後内壁の間には連結軸が固定的に連結され、前記右マスクが前記連結チャンバの中に入っており且つ前記連結軸に固定的に連結され、前記右マスクの左端と前記連結チャンバの左側の内壁とが当接し、前記左マスクと前記右マスクの中にはそれぞれ上に開口した収納チャンバが設置され、前記収納チャンバの前後の内壁の間には収納輪が回転できるように連結され、両側の前記収納輪の間には両側の前記収納輪に巻かれたマスクバンドが連結され、前記収納輪と前記収納チャンバの前後の内壁との間には収納撥条が固定的に連結されている；前記マスクバンドを引き出して後頭部に着け、前記収納撥条の弾力の作用によって前記左マスクと前記右マスクを顔に貼り付ける。
【０００７】
更なる技術方案、前記排毒装置は前記左マスクの後側に回転できるように設置された濾過筒を含み、前記濾過筒の中には連結穴が前に開口して設置され、前記連結軸が前記連結穴の中に伸びて前記連結穴とネジ山によって連結され、前記濾過筒の中には通気通路が設置され、前記通気管が前記通気通路の中に伸びており、前記通気通路の後側の内壁には防腐板が固定的に設置され、前記通気通路の前側の内壁には通気篩が固定的に設置され、前記防腐板と前記通気篩との間には吸着ブロックが充填され、前記通気通路の前側の内壁の中には前に開口した通気溝が連通して設置され、前記濾過筒の前端には前記通気溝に正対した吸口が固定的に設置され、前記吸口の中には吸口チャンバが貫通して設置されている；前記濾過筒を回してそれを前記連結軸に連結し、左側の前記管路が空気を前記通気通路の中に導入し、前記吸着ブロックによって空気の中の毒物を吸着し、浄化された後の空気が前記通気溝と前記吸口チャンバを経由して呼吸に使われることができ、呼気が前記通気通路の中に入ってまた前記吸着ブロックによって吸着され、二回目の有毒気体を排出するのを防止し、重力の影響によって、前記防腐板は前記吸着ブロックが直接に前記通気通路の後側の内壁との接触するのを回避できる。
【０００８】
更なる技術方案、前記濾過筒には回転輪が回転またスライドできるように設置され、前記回転輪には密閉板が前後に対称的に回転できるように設置され、前記密閉板のうち中心に近接している一端と前記回転輪との間には挟みねじりバネが固定的に連結されている；前記回転輪をスライドさせ、前記密閉板を前記左マスクと前記右マスクに当接させ、前記密閉板を顎につけ、前記挟みねじりバネの弾力の作用によって顎をきつく挟み、マスクの密閉性を高める。
【発明の効果】
【０００９】
本発明の有益な効果は下記の通りである：
【００１０】
本発明は構成が簡単で、操作が便利で、着ける物の呼吸に従って空気の吸収をサポートできるだけではなく、それに空気を三回の濾過によって、人が有毒気体を吸い込むのを回避でき、防毒マスクを折り畳むことができ、持ち歩くのに便利を与える。
【図面の簡単な説明】
【００１１】
【図１】図１は本発明の折畳み防毒マスクの内部構成模式図
【図２】図２は図１の「Ａ−Ａ」の方向の構成模式図
【図３】図３は図１の「Ｂ−Ｂ」の方向の構成模式図
【図４】図４は図１の「Ｃ−Ｃ」の方向の構成模式図
【発明を実施するための形態】
【００１２】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−４を参考して、本発明の折畳み防毒マスクは、着け装置１０１を含み、前記着け装置１０１は左マスク２３と右マスク２４とを含み、前記左マスク２３と前記右マスク２４の前端には顔と貼り付く弾性部品が連結され、前記左マスク２３と右マスク２４との下端には濾過装置１００が連結され、前記左マスク２３と右マスク２４の後側には排毒装置１０２が連結され、前記濾過装置１００は前記左マスク２３と前記右マスク２４との下端に其々固定的に連結された左右に対称的なプラスチック管１１を含み、前記プラスチック管１１の中には通り道１３が上下に貫通して設置され、前記通り道１３の上側には固定ブロック２０が固定的に設置され、前記固定ブロック２０の中にはモーター１２が固定的に設置され、前記通り道１３の中にはネジボルト１７が回転できるように設置され、前記ネジボルト１７の上端が前記モーター１２に伝動できるように連結され、前記通り道１３の中にはネジ山ブロック２２がスライドできるように設置され、前記ネジ山ブロック２２の下端には連結棒１６が固定的に連結され、前記連結棒１６の中にはネジ山穴１８が上に開口して設置され、前記ネジ山穴１８が前記ネジ山ブロック２２を貫通しており、前記ネジボルト１７の下端が前記ネジ山穴１８の中に伸びて前記ネジ山穴１８とがネジ山によって連結され、前記ネジ山ブロック２２の下側には濾過板１５がスライドできるように設置され、前記濾過板１５と前記ネジ山ブロック２２との間には六本の冷却器１９が固定的に連結され、前記通り道１３の下側には防塵板１４が固定的に連結され、前記通り道１３の後側の内壁の中には後に開口した抜き穴２１が連通して設置され、前記プラスチック管１１の後端には通気管２９が固定的に連結され、前記通気管２９の中には管路４３が左右に貫通して設置され、両側の前記管路４３の中には開口が反対した逆止弁４５が設置されている；マスクをつけた後前記モーター１２を始動し、吸気する時前記モーター１２が前記ネジボルト１７を駆動してして正方向に回転させ、前記ネジ山ブロック２２と前記濾過板１５を上へスライド連動させ、それにより空気を前記通り道１３の中に吸い込んで二回の濾過を行い、それにより気体を前記抜き穴２１に通り抜かせ、この時気体が左側の前記管路４３を通り抜け、空気を吐く時右側の前記モーター１２が右側の前記ネジボルト１７を駆動して反方向に回転させ、右側の前記ネジ山ブロック２２と左側の前記濾過板１５を下へスライド連動させ、それにより気体を右側の前記管路４３から排出する。
【００１４】
有益なように、前記着け装置１０１は右に開口して前記左マスク２３の中に設置された連結チャンバ２５を含み、前記連結チャンバ２５の前後内壁の間には連結軸２８が固定的に連結され、前記右マスク２４が前記連結チャンバ２５の中に入っており且つ前記連結軸２８に固定的に連結され、前記右マスク２４の左端と前記連結チャンバ２５の左側の内壁とが当接し、前記左マスク２３と前記右マスク２４の中にはそれぞれ上に開口した収納チャンバ３３が設置され、前記収納チャンバ３３の前後の内壁の間には収納輪３４が回転できるように連結され、両側の前記収納輪３４の間には両側の前記収納輪３４に巻かれたマスクバンド３５が連結され、前記収納輪３４と前記収納チャンバ３３の前後の内壁との間には収納撥条４４が固定的に連結されている；前記マスクバンド３５を引き出して後頭部に着け、前記収納撥条４４の弾力の作用によって前記左マスク２３と前記右マスク２４を顔に貼り付ける。
【００１５】
有益なように、前記排毒装置１０２は前記左マスク２３の後側に回転できるように設置された濾過筒２７を含み、前記濾過筒２７の中には連結穴３６が前に開口して設置され、前記連結軸２８が前記連結穴３６の中に伸びて前記連結穴３６とネジ山によって連結され、前記濾過筒２７の中には通気通路３８が設置され、前記通気管２９が前記通気通路３８の中に伸びており、前記通気通路３８の後側の内壁には防腐板４０が固定的に設置され、前記通気通路３８の前側の内壁には通気篩４１が固定的に設置され、前記防腐板４０と前記通気篩４１との間には吸着ブロック３９が充填され、前記通気通路３８の前側の内壁の中には前に開口した通気溝３７が連通して設置され、前記濾過筒２７の前端には前記通気溝３７に正対した吸口３０が固定的に設置され、前記吸口３０の中には吸口チャンバ３１が貫通して設置されている；前記濾過筒２７を回してそれを前記連結軸２８に連結し、左側の前記管路４３が空気を前記通気通路３８の中に導入し、前記吸着ブロック３９によって空気の中の毒物を吸着し、浄化された後の空気が前記通気溝３７と前記吸口チャンバ３１を経由して呼吸に使われることができ、呼気が前記通気通路３８の中に入ってまた前記吸着ブロック３９によって吸着され、二回目の有毒気体を排出するのを防止し、重力の影響によって、前記防腐板４０は前記吸着ブロック３９が直接に前記通気通路３８の後側の内壁との接触するのを回避できる。
【００１６】
有益なように、前記濾過筒２７には回転輪２６が回転またスライドできるように設置され、前記回転輪２６には密閉板３２が前後に対称的に回転できるように設置され、前記密閉板３２のうち中心に近接している一端と前記回転輪２６との間には挟みねじりバネ４２が固定的に連結されている；前記回転輪２６をスライドさせ、前記密閉板３２を前記左マスク２３と前記右マスク２４に当接させ、前記密閉板３２を顎につけ、前記挟みねじりバネ４２の弾力の作用によって顎をきつく挟み、マスクの密閉性を高める。
【００１７】
使用する時、マスクバンド３５を引き出して後頭部に着け、収納撥条４４の弾力の作用によって左マスク２３と右マスク２４とを顔に貼り付け、濾過筒２７を回して連結軸２８に連結し、回転輪２６をスライドさせ、密閉板３２を左マスクと右マスク２４とに当接させ、密閉板３２を顎に着け、挟みねじりバネ４２の弾力の作用によって顎を挟み、モーター１２を始動し、吸気する時モーター１２がネジボルト１７を駆動して正方向に回転させ、ネジ山ブロック２２と濾過板１５とを上へスライド連動させ、それにより空気を通路１３の中に吸い込んで二回の濾過を行い、固体の埃と液体のゾルとを除き、それにより気体を通穴２１に通し、この時気体が左側の管路４３を経由でき、それにより空気を通気通路３８の中に導入し、吸着ブロック３９によって空気の中の有毒気体を吸着し、浄化された後の空気が通気溝３７と吸口チャンバ３１とを通り抜けて体内に吸い込まれ、息を吐く時右側のモーター１２が右側のネジボルト１７を駆動して反方向に回転させ、右側のネジ山ブロック２２と左側の濾過板１５を推して下へスライドさせ、吐いた気体が通気通路３８に入って再び吸着ブロック３９によって吸着され、二回目の有毒気体を排出するのを防止し、それにより気体を右側の管路４３から排出する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171639.tif 000003
【図２】
2020171639.tif 000004
【図３】
2020171639.tif 000005
【図４】
2020171639.tif 000006
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
折畳み防毒マスクであって、着け装置を含み、その特徴は、前記着け装置は左マスクと右マスクとを含み、前記左マスクと前記右マスクの前端には顔と貼り付く弾性部品が連結され、前記左マスクと右マスクとの下端には濾過装置が連結され、前記左マスクと右マスクの後側には排毒装置が連結され、前記濾過装置は前記左マスクと前記右マスクとの下端に其々固定的に連結された左右に対称的なプラスチック管を含み、前記プラスチック管の中には通り道が上下に貫通して設置され、前記通り道の上側には固定ブロックが固定的に設置され、前記固定ブロックの中には人の呼吸リズムに合わせて正逆回転できるモータが固定的に設置され、前記通り道の中にはネジボルトが回転できるように設置され、前記ネジボルトの上端が前記モーターに伝動できるように連結され、前記通り道の中にはネジ山ブロックがスライドできるように設置され、前記ネジ山ブロックの下端には連結棒が固定的に連結され、前記連結棒の中にはネジ山穴が上に開口して設置され、前記ネジ山穴が前記ネジ山ブロックを貫通しており、前記ネジボルトの下端が前記ネジ山穴の中に伸びて前記ネジ山穴とがネジ山によって連結され、前記ネジ山ブロックの下側には濾過板がスライドできるように設置され、前記濾過板と前記ネジ山ブロックとの間には六本の冷却器が固定的に連結され、前記通り道の下側には防塵板が固定的に連結され、前記通り道の後側の内壁の中には後に開口した抜き穴が連通して設置され、前記プラスチック管の後側端面には通気管が固定的に連結され、前記通気管の中には管路が左右に貫通して設置され、両側の前記管路の中にはそれぞれ外部の空気を一方で入らせることができる逆止弁が設置されていることを特徴とする折畳み防毒マスク。
【請求項２】
前記着け装置は右に開口して前記左マスクの中に設置された連結チャンバを含み、前記連結チャンバの前後内壁の間には連結軸が固定的に連結され、前記右マスクが前記連結チャンバの中に入っており且つ前記連結軸に固定的に連結され、前記右マスクの左端と前記連結チャンバの左側の内壁とが当接し、前記左マスクと前記右マスクの中にはそれぞれ上に開口した収納チャンバが設置され、前記収納チャンバの前後の内壁の間には収納輪が回転できるように連結され、両側の前記収納輪の間には両側の前記収納輪に巻かれたマスクバンドが連結され、前記収納輪と前記収納チャンバの前後の内壁との間には収納撥条が固定的に連結されており、
前記マスクバンドを引き出して後頭部に着け、前記収納撥条の弾力の作用によって前記左マスクと前記右マスクを顔に貼り付けることを特徴とする請求項１に記載の折畳み防毒マスク。
【請求項３】
前記排毒装置は前記左マスクの後側に回転できるように設置された濾過筒を含み、前記濾過筒の中には連結穴が前に開口して設置され、前記連結軸が前記連結穴の中に伸びて前記連結穴とネジ山によって連結され、前記濾過筒の中には通気通路が設置され、前記通気管が前記通気通路の中に伸びており、前記通気通路の後側の内壁には防腐板が固定的に設置され、前記通気通路の前側の内壁には通気篩が固定的に設置され、前記防腐板と前記通気篩との間には吸着ブロックが充填され、前記通気通路の前側の内壁の中には前に開口した通気溝が連通して設置され、前記濾過筒の前端には前記通気溝に正対した吸口が固定的に設置され、前記吸口の中には吸口チャンバが貫通して設置されており、
前記濾過筒を回してそれを前記連結軸に連結し、左側の前記管路が空気を前記通気通路の中に導入し、前記吸着ブロックによって空気の中の毒物を吸着し、浄化された後の空気が前記通気溝と前記吸口チャンバを経由して呼吸に使われることができ、呼気が前記通気通路の中に入ってまた前記吸着ブロックによって吸着され、二回目の有毒気体を排出するのを防止し、重力の影響によって、前記防腐板は前記吸着ブロックが直接に前記通気通路の後側の内壁との接触するのを回避できることを特徴とする請求項１又は請求項２に記載の折畳み防毒マスク。
【請求項４】
前記濾過筒には回転輪が回転またスライドできるように設置され、前記回転輪には密閉板が前後に対称的に回転できるように設置され、前記密閉板のうち中心に近接している一端と前記回転輪との間には挟みねじりバネが固定的に連結されており、
前記回転輪をスライドさせ、前記密閉板を前記左マスクと前記右マスクに当接させ、前記密閉板を顎につけ、前記挟みねじりバネの弾力の作用によって顎をきつく挟み、マスクの密閉性を高めることを特徴とする請求項１又は請求項２又は請求項３に記載の折畳み防毒マスク。
。
【手続補正２】
【補正対象書類名】明細書
【補正対象項目名】全文
【補正方法】変更
【補正の内容】
【発明の詳細な説明】
【技術分野】
【０００１】
本発明は逃走救援の分野を取り上げて、具体的には折畳み防毒マスクである。
【背景技術】
【０００２】
防毒マスクは常用の逃走救援工具であり、火災現場及び毒ガスが漏れる場所には防毒マスクをつけなければならず、一般的な防毒マスクは体積が大きく、事故現場に救援される人が多い時、消防士はそれなりの数の防毒マスクを携帯するのが不便であり、そのため空気を三回濾過する折畳み防毒マスクを設計するのが必要があり、本装置は使用者の呼吸に従って空気の吸収をサポートできるだけではなく、空気を三回濾過し、人体が毒ガスを吸い込むのを回避でき、防毒マスクを折り畳むことができ、持ち歩くのに便利を与える。
【先行技術文献】
【特許文献】
【０００３】
【特許文献１】中国特許出願公開第１０８０７９４５７号明細書
【発明の概要】
【発明が解決しようとする課題】
【０００４】
本発明の解決する技術問題は折畳み防毒マスクを提供し、それが上記現有の技術の問題を解決する。
【課題を解決するための手段】
【０００５】
本発明の折畳み防毒マスクは、着け装置を含み、前記着け装置は左マスクと右マスクとを含み、前記左マスクと前記右マスクの前端には顔と貼り付く弾性部品が連結され、前記左マスクと右マスクとの下端には濾過装置が連結され、前記左マスクと右マスクの後側には排毒装置が連結され、前記濾過装置は前記左マスクと前記右マスクとの下端に其々固定的に連結された左右に対称的なプラスチック管を含み、前記プラスチック管の中には通り道が上下に貫通して設置され、前記通り道の上側には固定ブロックが固定的に設置され、前記固定ブロックの中には人の呼吸リズムに合わせて正逆回転できるモータが固定的に設置され、前記通り道の中にはネジボルトが回転できるように設置され、前記ネジボルトの上端が前記モーターに伝動できるように連結され、前記通り道の中にはネジ山ブロックがスライドできるように設置され、前記ネジ山ブロックの下端には連結棒が固定的に連結され、前記連結棒の中にはネジ山穴が上に開口して設置され、前記ネジ山穴が前記ネジ山ブロックを貫通しており、前記ネジボルトの下端が前記ネジ山穴の中に伸びて前記ネジ山穴とがネジ山によって連結され、前記ネジ山ブロックの下側には濾過板がスライドできるように設置され、前記濾過板と前記ネジ山ブロックとの間には六本の冷却器が固定的に連結され、前記通り道の下側には防塵板が固定的に連結され、前記通り道の後側の内壁の中には後に開口した抜き穴が連通して設置され、前記プラスチック管の後側端面には通気管が固定的に連結され、前記通気管の中には管路が左右に貫通して設置され、両側の前記管路の中にはそれぞれ外部の空気を一方で入らせることができる逆止弁が設置されており、
マスクをつけた後前記モーターを始動し、吸気する時前記モーターが前記ネジボルトを駆動してして正方向に回転させ、前記ネジ山ブロックと前記濾過板を上へスライド連動させ、それにより空気を前記通り道の中に吸い込んで二回の濾過を行い、それにより気体を前記抜き穴に通り抜かせ、この時気体が左側の前記管路を通り抜け、空気を吐く時右側の前記モーターが右側の前記ネジボルトを駆動して反方向に回転させ、右側の前記ネジ山ブロックと左側の前記濾過板を下へスライド連動させ、それにより気体を右側の前記管路から排出する。
【０００６】
更なる技術方案、前記着け装置は右に開口して前記左マスクの中に設置された連結チャンバを含み、前記連結チャンバの前後内壁の間には連結軸が固定的に連結され、前記右マスクが前記連結チャンバの中に入っており且つ前記連結軸に固定的に連結され、前記右マスクの左端と前記連結チャンバの左側の内壁とが当接し、前記左マスクと前記右マスクの中にはそれぞれ上に開口した収納チャンバが設置され、前記収納チャンバの前後の内壁の間には収納輪が回転できるように連結され、両側の前記収納輪の間には両側の前記収納輪に巻かれたマスクバンドが連結され、前記収納輪と前記収納チャンバの前後の内壁との間には収納撥条が固定的に連結されており、
前記マスクバンドを引き出して後頭部に着け、前記収納撥条の弾力の作用によって前記左マスクと前記右マスクを顔に貼り付ける。
【０００７】
更なる技術方案、前記排毒装置は前記左マスクの後側に回転できるように設置された濾過筒を含み、前記濾過筒の中には連結穴が前に開口して設置され、前記連結軸が前記連結穴の中に伸びて前記連結穴とネジ山によって連結され、前記濾過筒の中には通気通路が設置され、前記通気管が前記通気通路の中に伸びており、前記通気通路の後側の内壁には防腐板が固定的に設置され、前記通気通路の前側の内壁には通気篩が固定的に設置され、前記防腐板と前記通気篩との間には吸着ブロックが充填され、前記通気通路の前側の内壁の中には前に開口した通気溝が連通して設置され、前記濾過筒の前端には前記通気溝に正対した吸口が固定的に設置され、前記吸口の中には吸口チャンバが貫通して設置されており、
前記濾過筒を回してそれを前記連結軸に連結し、左側の前記管路が空気を前記通気通路の中に導入し、前記吸着ブロックによって空気の中の毒物を吸着し、浄化された後の空気が前記通気溝と前記吸口チャンバを経由して呼吸に使われることができ、呼気が前記通気通路の中に入ってまた前記吸着ブロックによって吸着され、二回目の有毒気体を排出するのを防止し、重力の影響によって、前記防腐板は前記吸着ブロックが直接に前記通気通路の後側の内壁との接触するのを回避できる。
【０００８】
更なる技術方案、前記濾過筒には回転輪が回転またスライドできるように設置され、前記回転輪には密閉板が前後に対称的に回転できるように設置され、前記密閉板のうち中心に近接している一端と前記回転輪との間には挟みねじりバネが固定的に連結されており、
前記回転輪をスライドさせ、前記密閉板を前記左マスクと前記右マスクに当接させ、前記密閉板を顎につけ、前記挟みねじりバネの弾力の作用によって顎をきつく挟み、マスクの密閉性を高める。
【発明の効果】
【０００９】
本発明の有益な効果は下記の通りである：
【００１０】
本発明は構成が簡単で、操作が便利で、着ける物の呼吸に従って空気の吸収をサポートできるだけではなく、それに空気を三回の濾過によって、人が有毒気体を吸い込むのを回避でき、防毒マスクを折り畳むことができ、持ち歩くのに便利を与える。
【図面の簡単な説明】
【００１１】
【図１】図１は本発明の折畳み防毒マスクの内部構成模式図
【図２】図２は図１の「Ａ−Ａ」の方向の構成模式図
【図３】図３は図１の「Ｂ−Ｂ」の方向の構成模式図
【図４】図４は図１の「Ｃ−Ｃ」の方向の構成模式図
【発明を実施するための形態】
【００１２】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−４を参考して、本発明の折畳み防毒マスクは、着け装置１０１を含み、前記着け装置１０１は左マスク２３と右マスク２４とを含み、前記左マスク２３と前記右マスク２４の前端には顔と貼り付く弾性部品が連結され、前記左マスク２３と右マスク２４との下端には濾過装置１００が連結され、前記左マスク２３と右マスク２４の後側には排毒装置１０２が連結され、前記濾過装置１００は前記左マスク２３と前記右マスク２４との下端に其々固定的に連結された左右に対称的なプラスチック管１１を含み、前記プラスチック管１１の中には通り道１３が上下に貫通して設置され、前記通り道１３の上側には固定ブロック２０が固定的に設置され、前記固定ブロック２０の中には人の呼吸リズムに合わせて正逆回転できるモータ１２が固定的に設置され、前記通り道１３の中にはネジボルト１７が回転できるように設置され、前記ネジボルト１７の上端が前記モーター１２に伝動できるように連結され、前記通り道１３の中にはネジ山ブロック２２がスライドできるように設置され、前記ネジ山ブロック２２の下端には連結棒１６が固定的に連結され、前記連結棒１６の中にはネジ山穴１８が上に開口して設置され、前記ネジ山穴１８が前記ネジ山ブロック２２を貫通しており、前記ネジボルト１７の下端が前記ネジ山穴１８の中に伸びて前記ネジ山穴１８とがネジ山によって連結され、前記ネジ山ブロック２２の下側には濾過板１５がスライドできるように設置され、前記濾過板１５と前記ネジ山ブロック２２との間には六本の冷却器１９が固定的に連結され、前記通り道１３の下側には防塵板１４が固定的に連結され、前記通り道１３の後側の内壁の中には後に開口した抜き穴２１が連通して設置され、前記プラスチック管１１の後側端面には通気管２９が固定的に連結され、前記通気管２９の中には管路４３が左右に貫通して設置され、両側の前記管路４３の中にはそれぞれ外部の空気を一方で入らせることができる逆止弁４５が設置されており、
マスクをつけた後前記モーター１２を始動し、吸気する時前記モーター１２が前記ネジボルト１７を駆動してして正方向に回転させ、前記ネジ山ブロック２２と前記濾過板１５を上へスライド連動させ、それにより空気を前記通り道１３の中に吸い込んで二回の濾過を行い、それにより気体を前記抜き穴２１に通り抜かせ、この時気体が左側の前記管路４３を通り抜け、空気を吐く時右側の前記モーター１２が右側の前記ネジボルト１７を駆動して反方向に回転させ、右側の前記ネジ山ブロック２２と左側の前記濾過板１５を下へスライド連動させ、それにより気体を右側の前記管路４３から排出する。
【００１４】
有益なように、前記着け装置１０１は右に開口して前記左マスク２３の中に設置された連結チャンバ２５を含み、前記連結チャンバ２５の前後内壁の間には連結軸２８が固定的に連結され、前記右マスク２４が前記連結チャンバ２５の中に入っており且つ前記連結軸２８に固定的に連結され、前記右マスク２４の左端と前記連結チャンバ２５の左側の内壁とが当接し、前記左マスク２３と前記右マスク２４の中にはそれぞれ上に開口した収納チャンバ３３が設置され、前記収納チャンバ３３の前後の内壁の間には収納輪３４が回転できるように連結され、両側の前記収納輪３４の間には両側の前記収納輪３４に巻かれたマスクバンド３５が連結され、前記収納輪３４と前記収納チャンバ３３の前後の内壁との間には収納撥条４４が固定的に連結されており、
前記マスクバンド３５を引き出して後頭部に着け、前記収納撥条４４の弾力の作用によって前記左マスク２３と前記右マスク２４を顔に貼り付ける。
【００１５】
有益なように、前記排毒装置１０２は前記左マスク２３の後側に回転できるように設置された濾過筒２７を含み、前記濾過筒２７の中には連結穴３６が前に開口して設置され、前記連結軸２８が前記連結穴３６の中に伸びて前記連結穴３６とネジ山によって連結され、前記濾過筒２７の中には通気通路３８が設置され、前記通気管２９が前記通気通路３８の中に伸びており、前記通気通路３８の後側の内壁には防腐板４０が固定的に設置され、前記通気通路３８の前側の内壁には通気篩４１が固定的に設置され、前記防腐板４０と前記通気篩４１との間には吸着ブロック３９が充填され、前記通気通路３８の前側の内壁の中には前に開口した通気溝３７が連通して設置され、前記濾過筒２７の前端には前記通気溝３７に正対した吸口３０が固定的に設置され、前記吸口３０の中には吸口チャンバ３１が貫通して設置されており、
前記濾過筒２７を回してそれを前記連結軸２８に連結し、左側の前記管路４３が空気を前記通気通路３８の中に導入し、前記吸着ブロック３９によって空気の中の毒物を吸着し、浄化された後の空気が前記通気溝３７と前記吸口チャンバ３１を経由して呼吸に使われることができ、呼気が前記通気通路３８の中に入ってまた前記吸着ブロック３９によって吸着され、二回目の有毒気体を排出するのを防止し、重力の影響によって、前記防腐板４０は前記吸着ブロック３９が直接に前記通気通路３８の後側の内壁との接触するのを回避できる。
【００１６】
有益なように、前記濾過筒２７には回転輪２６が回転またスライドできるように設置され、前記回転輪２６には密閉板３２が前後に対称的に回転できるように設置され、前記密閉板３２のうち中心に近接している一端と前記回転輪２６との間には挟みねじりバネ４２が固定的に連結されており、
前記回転輪２６をスライドさせ、前記密閉板３２を前記左マスク２３と前記右マスク２４に当接させ、前記密閉板３２を顎につけ、前記挟みねじりバネ４２の弾力の作用によって顎をきつく挟み、マスクの密閉性を高める。
【００１７】
使用する時、マスクバンド３５を引き出して後頭部に着け、収納撥条４４の弾力の作用によって左マスク２３と右マスク２４とを顔に貼り付け、濾過筒２７を回して連結軸２８に連結し、回転輪２６をスライドさせ、密閉板３２を左マスクと右マスク２４とに当接させ、密閉板３２を顎に着け、挟みねじりバネ４２の弾力の作用によって顎を挟み、モーター１２を始動し、吸気する時モーター１２がネジボルト１７を駆動して正方向に回転させ、ネジ山ブロック２２と濾過板１５とを上へスライド連動させ、それにより空気を通路１３の中に吸い込んで二回の濾過を行い、固体の埃と液体のゾルとを除き、それにより気体を通穴２１に通し、この時気体が左側の管路４３を経由でき、それにより空気を通気通路３８の中に導入し、吸着ブロック３９によって空気の中の有毒気体を吸着し、浄化された後の空気が通気溝３７と吸口チャンバ３１とを通り抜けて体内に吸い込まれ、息を吐く時右側のモーター１２が右側のネジボルト１７を駆動して反方向に回転させ、右側のネジ山ブロック２２と左側の濾過板１５を推して下へスライドさせ、吐いた気体が通気通路３８に入って再び吸着ブロック３９によって吸着され、二回目の有毒気体を排出するのを防止し、それにより気体を右側の管路４３から排出する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。